(57)【特許請求の範囲】
【請求項１】
金属層を含まない多層からなる成る遮光カップ用原紙２を用いて成形される紙製遮光カップであって、少なくとも厚紙原紙１２の内側に、厚紙原紙の端辺から一定幅の非印刷部を設けるように設定された墨インキによるパターン化された遮光層１０と、その遮光層を隠蔽するための隠蔽層１４とが順に施され、前記隠蔽層１４が厚紙原紙と同じ坪量の厚紙から成ることを特徴とする紙製遮光カップ。
【発明の詳細な説明】
【０００１】
【発明の属する技術分野】
本発明は食品類中の金属系異物混入を検査する金属探知機が適用可能な遮光性を有する紙製遮光カップに関するものであり、特に遮光層を隠蔽する隠蔽層が著しく改善された紙製遮光カップの提供に関する。
【０００２】
【従来の技術】
従来より内容物の光劣化防止のための紙製遮光カップや容器として、厚紙原紙にアルミニウム箔やアルミニウム層が積層されたものが知られている。特に紙製遮光カップとして、代表的な例にアイスクリームカップがあり、外光や陳列冷凍ケース中の蛍光灯の光などによって、例えば内容物であるアイスクリーム中のビタミンや乳成分の破壊や変化、あるいは抹茶成分の変色や味覚変化などを防止する目的で、アルミニウム箔などによる遮光層を施したものが多くある。
【０００３】
しかし、特に液体食品（飲料）やアイスクリームなどの内容物について、品質管理の一環として金属系切り粉等の混入を検査するための金属探知機を使用するケースが多くなり、この場合には、アルミニウム箔やアルミニウム蒸着物のように金属系からなる遮光層は金属探知器の使用による検査とその管理を阻害するものであった。
【０００４】
また、アルミニウム箔やアルミニウム蒸着層が積層されたものなどによる遮光性を施された紙製遮光カップや容器は、使用後の廃棄物処理として焼却処理する場合が多いが、焼却炉のロストル（火格子）に溶けたアルミニウムが絡み、ロストルの動きを悪くし、燃焼効率を低下させ且つロストル等を損傷に至らしめる問題があり、さらにアルミニウムが焼却によりアルミナに変化し、焼却残滓の埋め立て処分時の加湿によって、焼却残滓中のアルミナに吸着されていた有毒なアンモニアガスが発生するという問題が生じている。
【０００５】
そこで、アルミニウム箔やアルミニウム蒸着層が積層されたものに代えた非金属の遮光層として、墨インキ層としたものが考えられ、その墨インキ層を隠蔽するための乳白ポリエチレンで覆った構成のものであった。
しかしこのような構成のカップブランクでカップを成形した場合、カップ内面の継ぎ目（胴部端面）に墨インキ層がはみ出し見た目に悪く、非衛生的であるということから、図２（ａ）に示すように、墨インキ層をカップブランク（２）の端辺に沿って一定幅の非印刷部（２２）をもった墨インキ印刷パターン（２０）とし、その墨インキ印刷パターン（２０）を隠蔽するため、図２（ｂ）に示すように隠蔽層（１４ａ）として、乳白ポリエチレンとしたものが提案されている（特願平８−２８５３４８号）。
すなわち、カップブランク（２）の構成は、図２（ｂ）に示すように、厚紙原紙（１２）の表面に内容物の絵柄や食品表示等が印刷されている絵柄印刷層（１６）とその絵柄印刷層（１６）の保護や耐水性を施すための透明ポリエチレン層（１８）が施され、厚紙原紙（１２）の裏面（カップの内面で食品などに触れる面）に遮光層（１０）としての墨インキ印刷パターンとその上に遮光層（１０）を隠蔽するための隠蔽層（１４ａ）としての乳白ポリエチレンから成っているものである。
なおここで使用している乳白ポリエチレンは従来から遮光層にアルミニウム箔などが使用されていたものに対しても、隠蔽性付与とともに衛生的感触を与えることから使用されていたものである。
【０００６】
しかしながら、上記隠蔽層（１４ａ）としての乳白ポリエチレンでは、遮光層（１０）が墨インキから成るため、しかも墨インキ印刷パターン（２０）としていることから、隠蔽性に難点があり、図２（ａ）に示す非印刷部（２２）と墨インキ印刷パターン（２０）との境界のコントラストが目立ち、見た目に悪く、非衛生的な感触を与えると言う問題点があった。
【０００７】
【発明が解決しようとする課題】
本発明は、かかる従来技術の問題点を解決するものであり、その課題とするところは、金属層を含まない、少なくとも厚紙原紙の内側に墨インキによるパターン化された遮光層とその遮光層を隠蔽するための隠蔽層の順に積層して成る遮光カップ用原紙を用いて成形される紙製遮光カップにおいて、カップ内面の前記隠蔽層を厚紙とすることによって、特に墨インキ印刷パターンの境界のコントラストが目立ち難く、衛生的な感触を与え商品価値のある紙製遮光カップの提供にある。
【０００８】
【課題を解決するための手段】
本発明に於いて上記課題を達成するために、金属層を含まない多層からなる成る遮光カップ用原紙２を用いて成形される紙製遮光カップであって、少なくとも厚紙原紙１２の内側に、厚紙原紙の端辺から一定幅の非印刷部を設けるように設定された墨インキによるパターン化された遮光層１０と、その遮光層を隠蔽するための隠蔽層１４とが順に施され、前記隠蔽層１４が厚紙原紙と同じ坪量の厚紙から成ることを特徴とする紙製遮光カップとしたものである。
【０００９】
ここで、本発明の金属層を含まない遮光カップ用原紙とは、紙製遮光カップに一般的に使用されているアルミニウム箔を用いないことで、アルミニウムを蒸着した合成樹脂フィルムや紙は、前述のように金属探知機に影響のない蒸着膜厚であれば必要に応じて使用するものである。
【００１０】
【発明の実施の形態】
以下本発明の実施の形態を説明する。
本発明の紙製遮光カップは、図１（ａ）〜（ｂ）に示すように、金属層を含まない、少なくとも厚紙原紙（１２）の内側にカッブブランクの端辺に沿って一定幅の非印刷部（２２）をもった墨インキ印刷パターン（２０）化された遮光層（１０）と接着層（１５）を介してその遮光層（１０）を隠蔽するための厚紙（１４）の順に積層して成る遮光カップ用原紙を用いて成形される紙製遮光カップ（１）としたものであり、
【００１１】
まず、カップブランク（２）の端辺に沿って一定幅の非印刷部（２２）をもった墨インキ印刷パターン（２０）について説明する。  この印刷パターン（２０）がカップブランク全面に施すことにより、紙製遮光カップ（１）の内面の継ぎ目の胴部端面（３０）及び底部端面（３２）に墨インキがはみ出し、見た目に悪く、内容物が食品の場合は、非衛生的であるのを防ぐためにカップブランクより小さめの墨インキ印刷パターン（２０）を形成するものであり、この印刷パターン（２０）の形成には、グラビア印刷法が好ましい。オフセット印刷法やスクリーン印刷法でも可能であるが、カップの厚紙原紙（１２）が高生産性を考慮した巻き取り（ロール）状であることから、グラビア印刷が最適であり、オフセット印刷法では得られない高遮光性が得られるためでもある。
【００１２】
印刷パターン（２０）の形状は、図２（ａ）に示すように、カップブランク（２）より小さめで、カップブランク（２）の端辺に沿って一定幅の非印刷部（２２）をもったものであり、この一定幅は、カップの大きさによっても異なるが例えば通常のアイスクリームカップでは、２ｍｍ〜５ｍｍ程度が好ましい。
また、墨インキ印刷パターン（２０）の厚さは、１μｍ〜３μｍが得られるが、例えば３μｍの墨インキ（１０）層をもったカップブランク（２）の透過率の測定結果は、自然光１０００ルックス下では、約０．０２で、５０００ルックス下では、約０．０３であり、充分な遮光性が得られることが実証されている。この墨インキ印刷パターン（２０）の厚さは厚い方が好ましいことはいうまでもないが、グラビア印刷法にて一回刷で得られる厚さに限度があり、約３μｍが限界値である。
【００１３】
グラビア用墨インキとしては、トルエンや酢酸エチルなどの有機溶剤系インキまたは水溶性インキのいずれも可能であるが、環境保全の面から水溶性墨インキが好ましい。
【００１４】
次に厚紙原紙（１２）としては、カップのサイズにもよるが内容量１５０ｇ程度の一般的なサイズのカップにおいては、カップの成形のし易さや物理的強度を考慮すると坪量３００ｇ／ｍ2程度のカップ原紙が好ましい。しかし本発明の紙製遮光カップでは、墨インキ印刷パターンの隠蔽用に厚紙（１４）を採用するため遮光カップ用原紙（２）としての総厚さ（坪量）を成形のし易さの面から考慮すると、厚紙原紙（１２）の坪量は、１５０ｇ／ｍ2程度のカップ原紙とし、隠蔽用の厚紙（１４）も同じ坪量のカップ原紙とする。
【００１５】
本発明の遮光カップ用原紙（２）とするために、厚紙原紙（１２）と厚紙（１４）を貼り合わせるための接着層（１５）について説明する。
紙と紙の貼り合わせ即ち合紙における接着剤としては、一般的には天然物接着剤であるカゼイン系やアラビアゴムなどがあり、合成水溶性接着剤であるポリビニールアルコール系、イソブデン−無水マレインサン共重合体、ポリアクリルアミドなど、エマルジョン接着剤であるスチレン−ｎ−ブチルアクリレート共重合体、マレイン酸共重合体、ポリビニルメチルエーテル、ｎ−ブチルメタクリレート等々が使用でき、接着強度、固着速度、合紙物のカール性などを考慮して適性な接着剤を選定しなければならない。
なお以上の接着剤は、水溶性または水に分散したものであるのに対し、有機溶剤を溶媒とした接着剤は、遮光層である墨インキを溶解するため使用不可能である。
【００１６】
上記接着剤の塗布は、生産性を考慮すると厚紙原紙（１２）及び厚紙（１４）が巻き取り（ロール）状であることが好ましいことからグラビアロールコート、リバースコート、バーコート等で行なうが、厚紙原紙（１２）と厚紙（１４）の貼り合わせたものを再度巻き取り乾燥することは、カールが大問題となるため、貼り合わせ後枚葉状に断裁するかカップブランクとして打ち抜きの方法を取らざるを得ない。しかしこの断裁や打ち抜きにおいて、接着剤が固化していない状態で行うことになるため接着層（１５）からのずれなどが生じないような断裁の管理や接着剤の選定に苦慮する。
【００１７】
一方他の接着方法としてポリエチレンの押し出しラミネーションによる方法も採用できる。具体的には、溶融したポリエチレンを厚紙原紙（１２）と厚紙（１４）の間に押し出して両者を貼り合わせる方法で、巻き取り状の素材を貼り合わせには高生産性の面から絶好の方法であり、冷却ロール間で即固化し、上記のカール問題や断裁、打ち抜きでの管理のし易さに優位な方法でもある。
【００１８】
次に厚紙（１４）は、前述のように坪量１００ｇ／ｍ2 〜２００ｇ／ｍ2 好ましくは１５０ｇ／ｍ2 程度のカップ原紙がカップ成形性などから望ましい。因みに本発明の目的でもある厚紙（１４）の隠蔽性について検証してみた。
厚紙原紙（１２）に墨インキ印刷パターン（２０）を施したものの墨インキ印刷パターン（２０）部の反射濃度は１．６０、非印刷部（２２）は０．０６であった。さらにこの上に坪量１５０ｇ／ｍ2 のカップ原紙をポリエチレンを介して貼り合わせたものの反射濃度は、墨インキ印刷パターン（２０）部で０．１０、非印刷部（２２）で０．０６であって、墨インキ印刷パターン（２０）が殆ど目立たない程の隠蔽性のある厚紙（１４）であった。
比較のため、墨インキ印刷パターン（２０）に隠蔽層（１４ａ）として３０μｍの乳白ポリエチレンを施したものの反射濃度は、墨インキ印刷パターン（２０）部で１．１０、非印刷部（２２）で０．０８であって、墨インキ印刷パターン（２０）と非印刷部（２２）のコントラストが目立ちすぎるものであった。
【００１９】
【実施例】
次に本発明を実施例により、本発明を具体的に説明する。
＜実施例１＞
厚紙原紙（１２）‥‥坪量１５０ｇ／ｍ2 のカップ原紙
絵柄印刷層（１６）‥‥グラビア印刷法による
透明ＰＥ層（１８）‥‥厚さ４０μｍ、押し出しラミネート
遮光層（１０）‥‥墨インキ（ニューＬＰスーパー・東洋インキ製造社製）
印刷パターン化‥‥非印刷部（２２）の幅３ｍｍ、グラビア印刷法にて厚さ３μｍに形成
接着層（１５）‥‥透明ポリエチレンの厚さ４０μｍ、押し出しラミネート
厚紙（１４）‥‥坪量１５０ｇ／ｍ2 のカップ原紙
【００２０】
以上の条件にて、内容量１２０ｍｌのアイスクリームカップを作成した。
その紙製遮光カップの遮光性評価のための自然光１０００ルックス下での透過率は、０．０２であり、墨インキ層の隠蔽性評価のための反射濃度は、０．６０であった。即ち外光及び冷凍ケース内の蛍光灯に対する遮光性はほぼ満足のいける値であった。またカップ内面（内側）の反射濃度は、墨インキ印刷パターン部で０．１０、非印刷部で０．６０であって、墨インキ印刷パターン部と非印刷部とのコントラストも殆ど目立たず商品価値のあるものであった。
また、金属探知機には反応のないカップであった。
【００２１】
【発明の効果】
本発明は以上の構成であるから、下記に示す如き効果がある。即ち、金属層を含まない多層からなる成る遮光カップ用原紙２を用いて成形される紙製遮光カップであって、少なくとも厚紙原紙１２の内側に、厚紙原紙の端辺から一定幅の非印刷部を設けるように設定された墨インキによるパターン化された遮光層１０と、その遮光層を隠蔽するための隠蔽層１４とが順に施され、前記隠蔽層１４が厚紙原紙と同じ坪量の厚紙から成ることを特徴とする紙製遮光カップであるから、カップ内面（内側）から遮光層である墨インキ印刷パターンが殆ど目立たなく、衛生的な感触を与え商品価値の損なわない紙製遮光カップを提供するものである。
【００２２】
また、遮光層にアルミニウム箔などの金属層が含まないので、内容物に金属系切り粉等の混入を管理する金属探知機の使用が可能であり、かつカップの使用後の焼却処理において、ロストル（火格子）を傷めることもなく、焼却残滓からの有害ガスの発生もない環境調和型の紙製遮光カップを提供する効果がある。
【図面の簡単な説明】
【図１】（ａ）は、本発明の実施の形態を示す斜視図である。
（ｂ）は、本発明の実施の形態を示す側断面図である。
【図２】（ａ）は、従来及び本発明の実施の形態を示すカップブランクの展開図である。
（ｂ）は、従来の実施の形態を示す側断面図である。
【符号の説明】
１‥‥紙製遮光カップ
２‥‥遮光カップ用原紙
１０‥‥遮光層
１２‥‥厚紙原紙
１４‥‥厚紙
１４ａ‥‥隠蔽層
１５‥‥接着層
１６‥‥絵柄印刷層
１８‥‥透明ＰＥ層
２０‥‥墨インキ印刷パターン
２２‥‥非印刷部
３０‥‥胴部端面
３２‥‥底部端面
【図１】
0003911741.tif 000002
【図２】
0003911741.tif 000003